(57)【要約】      （修正有）【課題】磨いた後のブラシ面は不衛生であり、ブラシ毛が消耗したら廃棄されプラスチック塵になる。また、歯間や歯茎に付着した残渣やプラークを落し難い構成であり、歯磨き動作が大変煩雑である。【解決手段】ブラシ面に通水口１を設け、その口の周りにブラシ毛を選んで必要最小限のブラシ束３を植毛し、歯磨き時に残渣やプラークがブラシ面に残らなくし、ブラシ毛が歯間や歯茎の周りに入り、付着した残渣やプラークを、指先に加える軽いブラシ操作で掃い落とせるように構成した。そして、着脱装置付きのブラシ台とハンドル台１４を設け、消耗するブラシ台は廃棄するが、ハンドル台１４は簡単に消耗しないから廃棄しなくて良い歯ブラシを提供する。使用時は、リング１７に小指を嵌め、親指、人差し指、中指を取手に添え、歯ブラシを押したり引いたり回したりして、ブラシ毛を当てて動かすだけで、歯磨き剤や湯水は使わないで良い。【選択図】図１
2016043237.tif 000002
【特許請求の範囲】
【請求項１】
食物咀嚼残渣やプラークをブラシ枠から払い落とす通水口と、ブラシ枠内を巡りブラシ束を一重以内に植毛する一重植毛により、ブラシ枠内を清潔に保て、ポイントブラッシングを容易にし、互換性在る着脱装置を設けて消耗するブラシ台と消耗しないハンドル台を採用して省エネ化を図り、デザインが異なるブラシ台とハンドル台を臨機応変に交換し着脱できる歯ブラシ本体と、歯ブラシ本体に    ストラップリングを繋いで歯ブラシの取手柄の背部を手の親指、人差し指、中指の先を添え、小指を指リングに嵌め、其々の指を使いながら歯ブラシの操作をして、磨きたい歯間や歯茎を狙って、苛酷な状況下においても歯磨き剤や湯水を一切使用しないで歯磨きが行えるリング歯ブラシ。
【発明の詳細な説明】
【技術分野】
【０００１】  本発明は、主に歯間や歯茎を狙って磨くが、歯列全体も磨ける歯ブラシに関する。
【背景技術】
【０００２】  図７の、大多数の従来歯ブラシにおいて、１本の軸にブラシ毛が隙間無く植毛され一方の端に台形の取手がある、殆ど素材はプラスチック製で、金型からインジェクションにより得られる大量の歯ブラシ台に連続植毛機で毛束を植毛されている、世界中に供給網が敷かれ大量に使用されているから、歯ブラシの質や形状や性能の良し悪しによって、多くの人々が計り知れない影響を受ける。【０００３】  図７の、従来の歯ブラシの形状は使い捨てタイプが大半ですから、プラスチック塵としても大量に廃棄処分されていますし、性能は歯列を順にブラシ面で抑え、磨き剤を着け、台形の取手をしっかり持って、押さえつけて歯列の面を専らゴシゴシとブラッシングする動作に適した、百年前とあまり変わらない構成ですから、歯の間や歯茎の周りに付着した残渣やプラークを掃い落すには、歯間ブラシやデンタルフロスを買い求めて使わないと出来ない不適切な構成です。
生活に密着した命を守る必需品ともいえる従来の歯ブラシの性能に問題が在るといえるし、その従来の歯ブラシを使う時の煩雑すぎる動作に至っては、ＴＶや映画のドラマに見る如くで、まず、洗面所を確保し、磨き剤をブラシ面にたっぷりつけて、歯列に沿って肘を張った姿勢で、歯の前後左右表裏を何度も磨き、湯水をコップに入れておいて、磨き剤と唾液等を混ぜた混合液を何度か洗面台に吐き出し、コップに入れた湯水で口を何度か濯ぎ、使った歯ブラシの汚れ具合を調べるほどの事もせず、簡単に水を流すような洗い方で済ませると、鏡を見ながら口の周りを拭き取っている。私達の身の回りでもよく見かける風景と殆ど変わりません、歯の間や歯茎に付着した残渣やプラークの除去の事よりも、生活習慣として身に付いている事だから、惰性で続けているような感覚だと思います、代々伝えられてきた事だから煩雑な動作であっても、従来歯ブラシとその動作に何ら疑問を抱かず、歯の健康には従来歯ブラシが必要な事だと信じ、水を口に含み吐き出す煩雑な動作環境を、素直に当たり前のことと信じて歯磨き動作が出来たから、私たち国民は、親から教え込まれ身に付いた歯磨き習慣を黙々と送っているから、従来の歯ブラシはコンスタントな需要と供給に支えられているのだと思います。【０００４】  しかしながら、最近では積極的に歯を磨く習慣が疎まれ、歯磨きチューインガムやウガイ剤や口臭予防剤の需要が増え、歯に痛みが表れたら早速近くの歯医者をたずね、治療もするが、専ら歯周病の予防の歯科ケアーに通う人達が多くなり、歯科医の開業が目を引くようになり、歯科衛生に関する行政のあり方や、歯磨き生活習慣に警鐘を送る赤信号が現れ始めています。【０００５】  歯ブラシ業界が百年以上前からの形状を変えずに、今日まで国民の歯磨き生活を支える道具として奨励し、歯科行政機関もそれに同調するように異議を唱えず、普及運動を毎年全国的に展開しているので、従来歯ブラシが当分は現状を維持し国民から支持され続けるでしょうが、歯ブラシについて研究すればするほど、従来歯ブラシとその歯磨き動作について合点が行きません、ので、生き残る為の臓器である私達の歯は頗る重要であるのに、そのケアーの重要性に皆さん一人ひとりの意識が向いていませんから、従来歯ブラシに代わる、次世代歯ブラシ、として本発明の提供を致したいと思います。
【先行技術文献】
【非特許文献】
【０００６】  本発明出願者は恥ずかしながら歯ブラシに関わる出願にこだわり、数年前から出願を行っていますが、本件を含め後日、取り下げ申請か補正出願の提出をいたす予定であります。
【発明の概要】
【発明が解決しようとする課題】
【０００７】  課題は、従来歯ブラシが果たせなかった、廃棄されるプラスチック歯ブラシの量を少なく省エネ化の推進、歯茎の周りの食物残渣やプラーク除去を容易に出来ない従来歯ブラシの改善、従来歯ブラシでの歯を磨く時の動作が大変煩雑であり場所や時間やライフラインの動作条件の改善について解決を図り、歯ブラシ離れが進んでいる問題に歯止めをかける等々について、いかにして解決するかであった。【０００８】  本発明は、従来の構成が有していた問題を解決しようとするものであり、歯茎の周りの食物残渣やプラーク除去を容易出来る構成にし、歯ブラシの機能を引き上げ、扱い易くシンプルな形状にし、効果的に省エネを果たし、歯磨きをする度に結果が良く判るから、使って楽しくなる歯ブラシを実現する事を目的とするものである。
【問題を解決するための手段】
【０００９】そして、本発明は、上記目的を達成するために、歯ブラシのブラシ面の中央に平面から底面に抜ける通水口１を設け、ブラッシングで掃った残渣やプラーク等の異物がブラシ面から抜け易くし、通水口１の際から表面を外側に盛り上げて通水口１を巡るブラシ枠２の高い所に１重に制限してブラシ束３を植毛する１重植毛穴４を設け、ブラシ枠２の背面から括れて短く伸ばした短い柄のネック部５の中に、背面から通して成る四角形の図４着脱挿入穴６を設け、着脱挿入穴６があるネック部５に平面から底面を抜ける目貫７二個を設け、１重植毛穴４にブラシ束３を植毛して成る図４ブラシ台８を設ける。
つぎに、上記目貫７と合致する柄目貫９二個を設けた四角形の図５着脱柄１０の背側に、目釘とリングを繋いだ弾性ある図６連結目釘１１を設けて嵌め、柄をさらに伸ばした先に正四角形状の正四角形の取手柄１２と取手柄１２の背面奥にストラップホール１３を設けた図５ハンドル台１４を設ける。
つぎに、ハンドル台１４の着脱柄１０をブラシ台８の着脱挿入穴６に挿入し、合致する目貫７と柄目貫９に、連結目釘１１をハンドル台１４の取手側から移動して嵌め込み図２、３歯ブラシ本体１５を構成する。
そして、別に設けたストラップ１６の先に、手の指が１本容易に入る指リング１７を装着したストラップリング１８を設け、歯ブラシ本体１５のストラップホール１３にストラップリング１８を繋いで成る図１リング歯ブラシ１９を構成したものである。
【００１０】上記、課題解決手段による作用は次の通りである。歯ブラシの構成について、柄の長さが異なると若干使い方も異なり、掌サイズにした図１リング歯ブラシ１９では携行して使うのに良く多機能性に優れ、長くしたサイズの場合は落ち着いた所で使うのに良く多機能性に優れ、何れ劣らぬ多機能性は、ブラッシングにおいて特徴的に現れるのは、歯間や歯茎の間に細いブラシの先を当てやすく、太いブラシの先は歯を覆う歯肉に当てやすいから、咀嚼残渣やプラークが良く払えるし歯肉を刺激して強くし、ブラッシング動作中に払われる残渣やプラークは全て嚥下吸収し、歯磨き剤や湯水を一切使用しないで行い、歯も歯ブラシも清潔第１に保てる。
【００１１】ストラップリング１８に在る指リング１７の作用は、取手柄１２を３本の指で摘まむ際に、取手柄１２のストラップホール１３から伸ばしたストラップリング１８に嵌めた小指の関節を動かしながら、軽く引いたり緩める事によって、取手柄１２の後方を摘まみ指を動かす作用との間に、バランスを保つ適度な緊張感と操作性が生まれ、歯ブラシに好ましい歯磨き運動を起し易く伝播する。
【００１２】ストラップリング１８が、何らかの理由で使えない時は、丈夫で細い紐を輪状にして小指を嵌める程良い長さのストラップを代用品として咄嗟に設けるのも良いし、１本の紐の先に小指と薬指で軽く握れる小さな歯ブラシキャップを繋いでストラップホール１３に繋いで、上記の代用品に使用するのも良い。
【００１３】  図１リング歯ブラシ１９の使い方においては、図４ブラシ台８の着脱挿入穴６に図５ハンドル台１４の着脱柄１０を挿入し、目貫７と柄目貫９合致させ、そこに図６連結目釘１１を取手柄１２から移動してはめ込んで成る図２・３歯ブラシ本体は、消耗したブラシ台を廃棄するが、ハンドル台とストラップリング１８は材質によって違いが在るが、殆ど耐久性に勝り、半永久的に消耗しない物も多く、廃棄プラスチックス問題に大きく省エネ効果が在る、省エネは、ブラッシング時に従来は湯水を無造作使用したが、湯水の使用はしなくなり、歯磨き剤の使用もしない等の効果も大きい。
【００１４】  リング歯ブラシ１９は頗る簡単に快適にブラッシングが行え、肘や肩に強い力を加える必要は全くなくなります。磨きたい箇所を狙い定めたブラッシングが出来る、短い柄のリング歯ブラシ１９、長いリング歯ブラシ１９共に横笛を奏でる如く、歯を磨きたいと思った時、湯水や歯磨き剤を使わず、如何なる姿勢であろうと、ライフラインが全く途絶えた極限の世界や宇宙船の中でも、その時其の場で咄嗟に、１２３・・・・と、ポイントブラッシングが出来る、テストで使い始めると従来の歯ブラシは一切使わなくなり、リング歯ブラシ１９を片時も離さなくなり、歯磨き生活習慣が一瞬の内に変わるほど、その時から食事が美味しく戴ける、噛む力が日に日に強なっている状態を感じられる。
【００１５】  ブラシ台のブラシ枠２に植毛するブラシ束３は、毛細いブラシ束、太いブラシ束、折衷のブラシ束、硬いブラシ束、軟質ブラシ束、ブラシ束の形、質、色、長さ等選別して用いるし、ハンドル台の軸においても、良質の竹、木、チタン、ステン、その他金属やセラミックスの採用や、象嵌、彫刻、漆加工等を施した諸々のデザインを採用するのが良いし、本出願のハンドル台は自分でも作れる、女性にもできるよう単純化して在るから、愛蔵品のデビューも期待できる、ストラップリング１８についても器用な人なら歯ブラシのハンドル台同様、簡単に作る事ができる構成である。
【００１６】  また、諸々のデザインを採用したストラップリング１８や、ストラップ付ブラシキャップを設けるのも良い、ブラシ枠２を綺麗に掃うブラシ束を数本植毛してストラップを付け、小さなストラップブラシを設けるのも良いし、ストラップホール１３にストラップ１６を使わないで大小のリングを色々と繋いでそのリングに小指だけでなく薬指も嵌めて使うのも良いし、ストラップリング１８にリング１７を数個繋いだのも良い。連結目釘１１が使えない場合は、咄嗟に爪楊枝ほどの小枝を追って目貫７、柄目貫９に差し込んで留めれば代用として十分であるし、二連の目釘でなく１個の目釘で間に合う、小さな顆粒ほどであるから、紛失する事もあるので、プラスチックの小さな目釘を数個常備していると安心である。
【００１７】  上記において専ら本特許出願のブラシ台とハンドル台を着脱する歯ブラシ本体１５、リング歯ブラシ１９について述べたが、着脱装置の扱いに抵抗感が有る方も多数居られることであるから、無論、着脱装置を除いた以外は上記と同じ使用にした歯ブラシ本体Ｂ、リング歯ブラシＢを設けるのも良い。
歯ブラシ本体Ｂ、リング歯ブラシＢ、に在る弾性在る連結目釘１１は無いので、同じ位置括れた鶴首状に細くなったところに緩衝板を貼着するのが良い。
ブラシ枠を水が入ったコップに入れてブラシを濯ぐと小さな残渣がよく目視されるが、コップの水が特に汚れた訳ではないが、嬉しがる事でも無いので専用のブラシ濯ぎコップを用意するのも良い、コーヒー・ケーキタイムにおいて体験する事がしばしば起きるので、本発明が普及すれば濯ぎコップも在ったほうが良い、コップの縁を厚くした容器が良い、箸置きのような灰皿のようなブラシ置きを関連する物として設け、柄を長くしたリング歯ブラシ１９をレストランや家庭の食卓に常備するのも良い。
【発明の効果】
【００１８】  上述したように図１の、本発明のリング歯ブラシ１９は、図４ブラシ台８と図５ハンドル台１４の装着とストラップリング１８装着で成るので、消耗したブラシ台は廃棄しても、ハンドル台やストラップリングは半永久に使用できるから省資源に貢献するし、如何なる姿勢でも何時でも何処でも、咄嗟に歯を磨く事ができるように構成したから非常に使い易い、しかも、小型軽量で小回りが利き身近に持ち易くなったし、該歯ブラシ１９やハンドル台１４の形状や色彩のブランド化を進めて意匠登録する意味が在る。
手作りの取手柄１２を選んだハンドル台１４特別に愛着が持てるから楽しくなる、貴重な水資源を使わない、貴重な時間を無駄にしない、磨きたいポイントを絞り無駄なく無理なく効果的に歯を磨ける、生産コストも安価な本発明歯ブラシを、国民の歯科衛生改善の切り札として提供すれば、悪しき歯科衛生状態の飛躍的改善に貢献できると信じます。
自分の歯を何時までも健康で美しく強く保ちたい人類共通の願いを少しでも叶えるために、期待に応える歯ブラシを構成したつもりであり、本出願歯ブラシをこれからの歯磨き生活習慣に採用すれば、従来よりも数倍健康的で楽しい人生をエンジョイできると確信する。
【図面の簡単な説明】
【００１９】
【図１】本発明のリング歯ブラシ１９の実施状態を示す斜視図
【図２】本発明の歯ブラシ本体１５の実施状態を示す平面図
【図３】同歯ブラシの底面図
【図４】同歯ブラシに在るブラシ台８の背面図
【図５】同歯ブラシに在るハンドル台１４の正面図
【図６】連結目釘１１の斜視図
【図７】従来歯ブラシの斜視図
【発明を実施するための形態】
【００２０】以下、本発明の実施の形態を図１〜図７に基づいて説明する。
【００２１】  図において、１はブラシ台８の着脱挿入穴６に、ハンドル台１４の着脱柄１０を嵌め込んで目貫７と柄目貫９が重なるところに、ハンドル台１４に嵌めてあった連結目釘１１を移動して嵌めこんで歯ブラシ本体１５を設け、
歯ブラシ本体１５に在るストラップホール１３に、ストラップリング１８を繋いだリング歯ブラシ、
【００２２】  以下、上記構成の動作を説明する。リング歯ブラシ１９に装置したストラップリング１８の指リング１７に小指を差し込んで、親指、人差し指、中指を取手柄１２の後背部に軽く乗せ、専ら小指で指リング１７を軽く引いて、取手柄１２に在るストラップホール１３から伸ばしたストラップ１６に張りを持たせ、取手柄に添えた３本の指を動かし、歯ブラシのブラシ面を前後左右に押したり引いたり回したりの操作を繰り返して、磨きたい歯間、歯茎または歯の周囲を、狙い定めるようにしながら、詰まっている残渣やプラークを払い排除する為のポイントブラッシングを行い、歯列全体もブラッシングする。
【００２３】  生活習慣として、毎日の主食、間食で汚した歯を出来るだけ速やかに数多く清掃するのに適しているが、非常時において使用すると際立って威力が発揮される歯ブラシである、下水道も電気も瓦斯も無い極限の状況下において、その時、其の場で、咄嗟に歯を磨きたい時、本出願の歯ブラシが在れば、平時と変わらぬブラッシングが簡単に行え、噛む力、生きる力が涌き挙がる歯ブラシでもあります。
【００２４】  掌に入るほどのリング歯ブラシ１９が身近に１本在れば、飲食をしながら、新聞テレビを見ながら、パソコンやスマートフォンを使いながら、車の運転をしながら、散歩をしながら、温泉に入りながら、山を歩きながら、無重力の宇宙船において、極限の世界においても咄嗟に小指をリングに嵌めて、親指と人差し指と中指の指先を軽く添えて摘まむようにして、磨きたい箇所にブラシを動かしながら指先を押したり引いたり回したりして咄嗟に歯磨きができる、しかも、狙った箇所をピンポイントブラッシング出来る、湯水や歯磨き剤を一切使用しないで、ブラシで口腔に払われた残渣やプラークはすべて嚥下処理する、理にかなった歯磨き動作は大変ありがたい。
【００２５】  本発明の歯ブラシでは、無駄なく清潔なブラッシングに集中しブラシ面を目視できるし、歯の何処をブラッシュしたら良いのか、何時も口内に感じながら使い、払った残渣や目に見えないプラーク等は全て嚥下して始末し、歯ブラシを清潔に、歯を強く、もっと強くする為に構成した。
【符号の説明】
【００２６】  ８      ブラシ台
１１    連結目釘
１４    ハンドル台
１５    歯ブラシ本体
１８    ストラップリング
１９    リング歯ブラシ
【図１】
2016043237.tif 000003
【図２】
2016043237.tif 000004
【図３】
2016043237.tif 000005
【図４】
2016043237.tif 000006
【図５】
2016043237.tif 000007
【図６】
2016043237.tif 000008
【図７】
2016043237.tif 000009